【手続補正書】
【提出日】平成18年9月15日(2006.9.15)
【手続補正１】
【補正対象書類名】明細書
【補正対象項目名】特許請求の範囲
【補正方法】変更
【補正の内容】
【特許請求の範囲】
【請求項１】  プリント装置のキャリブレーションを行うためのキャリブレーション方法であって、
読取り装置の読取り特性と、予め用意された、それぞれ所定の読取り特性および該読取り特性に対応した輝度−濃度変換条件とに基づいて得られる輝度濃度変換データを更新することによりスキャナキャリブレーションを行う工程と、
該スキャナキャリブレーションを行う工程によってキャリブレーションが施された前記読取り装置によって前記所定画像の濃度を測定する工程と、
該測定工程における測定結果に基づいて、前記プリント装置のキャリブレーションに関するキャリブレーションデータを作成する工程と、を有し、
前記スキャナキャリブレーションを行う工程は、前記読取り装置の入力レベル−輝度変換特性の逆関数と、前記読取り特性によって定まる入力レベル−輝度変換特性と、前記読み取り特性に対応した輝度−濃度変換条件と、を組み合わせることにより、前記輝度濃度変換データを更新することを特徴とするキャリブレーション方法。
【請求項２】  前記輝度濃度変換データの更新は、予め用意した複数の輝度濃度変換データの中から、前記スキャナキャリブレーションを行う工程によってキャリブレーションが施される読取り装置に対応した輝度濃度変換データを選択して用いることにより行うことを特徴とする請求項１に記載のキャリブレーション方法。
【請求項３】  前記スキャナキャリブレーションを行う工程によって行われるキャリブレーションは、予め用意した複数のキャリブレーションデータの中から、前記スキャナキャリブレーションを行う工程によってキャリブレーションが施される読取り装置に対応したキャリブレーションデータを選択して用いることにより行うことを特徴とする請求項１に記載のキャリブレーション方法。
【請求項４】  プリント装置のキャリブレーションを行う情報処理装置であって、
プリント装置によってプリントされた所定画像を読取るための読取り装置を制御する読取り制御手段と、
前記読取り装置の読取り特性と、予め用意された、それぞれ所定の読取り特性および該読取り特性に対応した輝度−濃度変換条件と、に基づいて得られる輝度濃度変換データを更新することによりキャリブレーションを行うスキャナキャリブレーション実行手段と、
前記読取リ制御手段の制御の下、前記スキャンキャリブレーション実行手段によってキャリブレーションが施された前記読取り装置によって前記所定画像の濃度を測定した濃度測定結果に基づいて、前記プリント装置のキャリブレーションに関するキャリブレーションデータを作成するキャリブレーションデータ作成手段と、を有し、
前記スキャンキャリブレーション実行手段は、前記読取り装置の入力レベル−輝度変換特性の逆関数と、前記読取り特性によって定まる入力レベル−輝度変換特性と、前記読み取り特性に対応した輝度−濃度変換条件と、を組み合わせることにより、前記輝度濃度変換データを更新することを特徴とする情報処理装置。
【請求項５】  前記輝度濃度変換データの更新は、予め用意した複数の輝度濃度変換データの中から、前記スキャナキャリブレーション実行手段によってキャリブレーションが施される読取り装置に対応した輝度濃度変換データを選択して用いることにより行うことを特徴とする請求項４に記載の情報処理装置。
【請求項６】  前記スキャナキャリブレーション実行手段によって行われるキャリブレーションは、予め用意した複数のキャリブレーションデータの中から、前記スキャナキャリブレーション実行手段によってキャリブレーションが施される読取り装置に対応したキャリブレーションデータを選択して用いることにより行うことを特徴とする請求項４に記載の情報処理装置。
【請求項７】  情報処理装置によって読取り可能にプログラムを記憶した記憶媒体であって、該プログラムは、
プリント装置のキャリブレーションを行うためのキャリブレーション処理であって、
読取り装置の読取り特性と、予め用意された、それぞれ所定の読取り特性および該読取り特性に対応した輝度−濃度変換条件とに基づいて得られる輝度濃度変換データを更新することによりスキャナキャリブレーションを行う工程と、
該スキャナキャリブレーションを行う工程によってキャリブレーションが施された前記読取り装置によって前記所定画像の濃度を測定する工程と、
該測定工程における測定結果に基づいて、前記プリント装置のキャリブレーションに関するキャリブレーションデータを作成する工程と、を有し、
前記スキャナキャリブレーションを行う工程は、前記読取り装置の入力レベル−輝度変換特性の逆関数と、前記読取り特性によって定まる入力レベル−輝度変換特性と、前記読み取り特性に対応した輝度−濃度変換条件と、を組み合わせることにより、前記輝度濃度変換データを更新することを特徴とする処理であることを特徴とする記憶媒体。
【手続補正２】
【補正対象書類名】明細書
【補正対象項目名】０００８
【補正方法】変更
【補正の内容】
【０００８】
【課題を解決するための手段】
そのために本発明では、プリント装置のキャリブレーションを行うためのキャリブレーション方法であって、読取り装置の読取り特性と、予め用意された、それぞれ所定の読取り特性および該読取り特性に対応した輝度−濃度変換条件とに基づいて得られる輝度濃度変換データを更新することによりスキャナキャリブレーションを行う工程と、該スキャナキャリブレーションを行う工程によってキャリブレーションが施された前記読取り装置によって前記所定画像の濃度を測定する工程と、該測定工程における測定結果に基づいて、前記プリント装置のキャリブレーションに関するキャリブレーションデータを作成する工程と、を有し、前記スキャナキャリブレーションを行う工程は、前記読取り装置の入力レベル−輝度変換特性の逆関数と、前記読取り特性によって定まる入力レベル−輝度変換特性と、前記読み取り特性に対応した輝度−濃度変換条件と、を組み合わせることにより、前記輝度濃度変換データを更新することを特徴とする。
【手続補正３】
【補正対象書類名】明細書
【補正対象項目名】０００９
【補正方法】変更
【補正の内容】
【０００９】
また、プリント装置のキャリブレーションを行う情報処理装置であって、プリント装置によってプリントされた所定画像を読取るための読取り装置を制御する読取り制御手段と、前記読取り装置の読取り特性と、予め用意された、それぞれ所定の読取り特性および該読取り特性に対応した輝度−濃度変換条件とに基づいて得られる輝度濃度変換データを更新することによりキャリブレーションを行うスキャナキャリブレーション実行手段と、前記読取リ制御手段の制御の下、前記スキャンキャリブレーション実行手段によってキャリブレーションが施された前記読取り装置によって前記所定画像の濃度を測定した濃度測定結果に基づいて、前記プリント装置のキャリブレーションに関するキャリブレーションデータを作成するキャリブレーションデータ作成手段と、を有し、前記スキャンキャリブレーション実行手段は、前記読取り装置の入力レベル−輝度変換特性の逆関数と、前記読取り特性によって定まる入力レベル−輝度変換特性と、前記読み取り特性に対応した輝度−濃度変換条件と、を組み合わせることにより、前記輝度濃度変換データを更新することを特徴とする。
【手続補正４】
【補正対象書類名】明細書
【補正対象項目名】００１０
【補正方法】削除
【補正の内容】